(57)【特許請求の範囲】
【請求項１】
イニシエータに対するハウジングの着脱方向にスライド自在に前記ハウジングに支持されて、前記イニシエータに対する前記ハウジングの装着方向に付勢されたスライダと、
前記イニシエータに設けられ、前記ハウジングに係止される係止アームと、
前記ハウジングに設けられ、前記ハウジングに収容される端子を係止するための端子係止アームとを有し、
前記係止アームは、前記ハウジングに係止する際には前記付勢に抗して前記スライダを押しつつ係止位置に移動可能に構成されており、係止状態では前記付勢に抗した力が解除された前記スライダが係止位置を覆うことで係止の解除が規制されるように構成されており、
前記端子係止アームの係止部は、前記ハウジングに収容され係止位置で係止される前の状態においては前記端子に乗り上げた状態となり、前記係止位置において係止した状態では乗り上げた状態が解消されるように構成されており、
前記スライダは、前記端子係止アームの前記係止部が前記端子に乗り上げた状態の前記端子係止アームに当接して、前記端子係止アームの変位を規制する変位規制部を備え、
前記端子係止アームは、前記スライダを支持した状態の前記ハウジングと前記イニシエータが装着された状態で前記スライダの装着方向に延びて形成されており、前記変位規制部は、前記係止部が前記端子と係止する側と反対側部分で前記端子係止アームと対向していることを特徴とするコネクタ。
【請求項２】
前記変位規制部は、前記係止部よりも基端側で前記端子係止アームに当接し、前記端子係止アームの変位を規制することを特徴とする請求項１に記載のコネクタ。
【発明の詳細な説明】
【技術分野】
【０００１】
本発明は、ハウジングに収容された端子をハウジングが備える端子係止アームで係止するコネクタに関する。
【背景技術】
【０００２】
この種のコネクタは、下記の特許文献１に開示されている。特許文献１のコネクタでは、ハウジング内に挿入されたリテーナでランス（端子係止アーム）を雌端子に押圧することで、ランスにクリープ変形が生じたりランスによる係止が解けるのが防止され、ハウジング内に端子が確実に係止されるようになっている。
【先行技術文献】
【特許文献】
【０００３】
【特許文献１】特開平７−２８２８８４号公報
【発明の概要】
【発明が解決しようとする課題】
【０００４】
上記従来のコネクタでは、ランスを変位させたりテーナを収容するためのスペースをハウジング内に設ける分、コネクタが大型化していた。
【０００５】
本発明は斯かる課題に鑑みてなされたもので、コネクタの大型化を招くことなく、ハウジング内に端子を確実に係止できるコネクタを提供することを目的とする。
【課題を解決するための手段】
【０００６】
このような目的を達成するために、本発明のコネクタは、イニシエータに対するハウジングの着脱方向にスライド自在に前記ハウジングに支持されて、前記イニシエータに対する前記ハウジングの装着方向に付勢されたスライダと、前記イニシエータに設けられ、前記ハウジングに係止される係止アームと、前記ハウジングに設けられ、前記ハウジングに収容される端子を係止するための端子係止アームとを有し、前記係止アームは、前記ハウジングに係止する際には前記付勢に抗して前記スライダを押しつつ係止位置に移動可能に構成されており、係止状態では前記付勢に抗した力が解除された前記スライダが係止位置を覆うことで係止の解除が規制されるように構成されており、前記端子係止アームの係止部は、前記ハウジングに収容され係止位置で係止される前の状態においては前記端子に乗り上げた状態となり、前記係止位置において係止した状態では乗り上げた状態が解消されるように構成されており、前記スライダは、前記端子係止アームの前記係止部が前記端子に乗り上げた状態の前記端子係止アームに当接して、前記端子係止アームの変位を規制する変位規制部を備え、前記端子係止アームは、前記スライダを支持した状態の前記ハウジングと前記イニシエータが装着された状態で前記スライダの装着方向に延びて形成されており、前記変位規制部は、前記係止部が前記端子と係止する側と反対側部分で前記端子係止アームと対向していることを特徴とする。
また、本発明は、前記変位規制部が、前記係止部よりも基端側で前記端子係止アームに当接し、前記端子係止アームの変位を規制することを特徴とする。
【発明の効果】
【０００７】
本発明によれば、係止アームの係止解除規制のためのスライダで端子係止アームの変位を規制することで、コネクタの大型化を招くことなく、端子係止アームをハウジング内に確実に係止できる。
【図面の簡単な説明】
【０００８】
【図１】本発明の一実施形態のコネクタを上方から見た分解斜視図である。
【図２】コネクタを上方から見た斜視図であり、（ａ）はイニシエータに対するハウジングの組付前，（ｂ）は組付後を示している。
【図３】イニシエータに対するハウジングの組付動作を、前後方向に沿った縦断面で示す図である。
【図４】ハウジングに対する端子の組付動作を示す図であり、前後方向に沿った縦断面でハウジングを示している。
【図５】図４の枠Ａを拡大して示す図である。
【図６】ハウジングの変形例を前後方向に沿った縦断面で示す図であり、ハウジングに対する端子の組付動作を示している。
【図７】図６の枠Ｂを拡大して示す図である。
【発明を実施するための形態】
【０００９】
以下、図面を参照して、本発明の一実施形態を説明する。
図１，２は、本実施形態のコネクタを示す図であり、図１は上方から見た分解斜視図，図２は斜視図である。図３は、イニシエータ１に対するハウジング５の組付動作を示す図である。図４は、ハウジング５に対する端子Ｔの組付動作を示す図である。なお、以下の説明で用いる上下，前後，左右の各方向は説明に用いる各図に示している。この上下，前後，左右は説明のために記載したもので、実際の配置と異なってよいことはもちろんである。
【００１０】
図１，２に示すように、コネクタは、イニシエータ１とハウジング５とを備えている。イニシエータ１は、有底円筒状を呈した本体２と、円柱状を呈して本体２に収容されたシャント３とを備えている。本体２は、シャント３を収容する収容室２０を前面に開口させている。収容室２０の底面からは、一対のピン２１が前方に向けて左右に並んで延びている。収容室２０の左右の内側面には、それぞれ係止凹部２３が設けられている。また、収容室２０の前端開口部の上縁部及び下縁部には、それぞれ嵌合凹部２２が設けられている。
【００１１】
シャント３は、前端面から後端面にかけてシャント３を貫通した挿通孔３０を備えている。挿通孔３０には、図１に示す短絡金具４が嵌め込まれている。短絡金具４は、係止片４１が挿通孔３０内に係止され、挿通孔３０内に延びた両ピン２１にそれぞれ接触片４２を弾接させている。
【００１２】
図１に示すように、シャント３の左右の側面からは、それぞれ係止片３３が延びている。各係止片３３は、シャント３の外側に向けて屈曲して前方に延びている。また、シャント３の上下の側面には、それぞれ嵌合凸部３１が設けられている。図３に示すように、挿通孔３０の上縁部の後端部からは、係止アーム３２が前方に向けて延びている。
【００１３】
図２に示すように、シャント３は、収容室２０内に収容されて、嵌合凸部３１が嵌合凹部２２に嵌め合わされている。収容室２０内に収容されたシャント３は、係止凹部２３に係止片３３が係止されている。また、図３に示すように、シャント３は、収容室２０の底面に後端面を当接させており、本体２のピン２１が挿通孔３０内を前端側に延びている。
【００１４】
図１に示すように、ハウジング５は、端子Ｔが装着されるハウジング本体６と、ハウジング本体６を前側から覆うカバー７とを備えている。ハウジング本体６の後面からは四角ブロック状の端子収容部６１が後方に延びており、ハウジング本体６の下面からは電線収容部６２が下方に延びている。端子収容部６１は、端子Ｔを収容する端子収容室６０ａを左右に並べて前面に開口させている。
【００１５】
図３，４に示すように、端子収容部６１の延出位置の上側に位置したハウジング本体６の後面には、後述するスライダ８を収容する収容室６３が開口している。また、端子収容部６１の後端部の上面には係止凸部６１ｂが設けられている。図４に示すように、各係止凸部６１ｂの前側に位置する端子収容部６１の上面には、左右に並んで一対の端子係止アーム６１１が設けられている。端子係止アーム６１１は、端子収容部６１の前端から後方に延びる一対のスリットを、端子収容室６０ａの上壁に設けることで構成されており、前端部の下面には係止部６１１ａが設けられている。
【００１６】
図１に示すように、電線Ｄが接続される端子Ｔの前端部の上面には、被係止部Ｔ１が設けられている。本実施形態では、端子Ｔの上板の一部を切り欠くことで、被係止部Ｔ１が形成されている。端子係止アーム６１１は、係止部６１１ａを被係止部Ｔ１に係合させて、端子Ｔをハウジング本体６に係止する。
【００１７】
図１に示すように、電線収容部６２は、ハウジング本体６の下縁部から下方に延びており、左右の側面に係止凸部６２ａを備えている。電線収容部６２には、端子の電線Ｄが挿通されたフェライトＨを電線Ｄと共に収容する電線収容室６０ｂが設けられている。
【００１８】
端子収容部６１には、スライダ８が嵌め合わされる。図１に示すように、スライダ８は、バネ収容室８１ａを前面に開口させたバネ収容部８１と、バネ収容部８１の下端部から後方に延びた移動規制片８２とを備えている。バネ収容部８１の左右の側面からは、一対のスライド部８１ｂが左右の側方に延びている。ハウジング本体６の左右の側面には、スライド部８１ｂを前後方向にガイドするガイド部６１ａが設けられている。
【００１９】
図２に示すように、スライダ８は、バネ収容部８１で端子収容部６１の上面及び左右の側面を覆い、前後方向にスライド自在にハウジング本体６に嵌め合わされる。図３，４に示すように、スライダ８のバネ収容部８１は、収容室６３内に収容されている。また、バネ９は、バネ収容室８１ａに一端部を収容され、他端部をバネ収容室８１ａから前方に突出させている。
【００２０】
カバー７は、下端部に設けられた左右一対の係止部７１をハウジング本体６の係止凸部６２ａに係止されて、ハウジング本体６に取り付けられている。ハウジング本体６に取り付けられたカバー７は、端子を前側から端子収容室６０ａ内に押え付け、フェライトＨを前側から電線収容室６０ｂの内面に押え付けて、端子Ｔ及びフェライトＨをハウジング本体６とで挟み込んでいる。
【００２１】
ハウジング５は、図３（ａ）に示すように、端子収容部６１が挿通孔３０内に挿入される。シャント３の係止アーム３２は、端子収容部６１の係止凸部６１ｂに乗り上げて、図３（ｂ）に示すようにスライダ８の移動規制片８２に先端を当接させ、スライダ８を後方に押圧する。これにより、スライダ８は、スライド部８１ｂをガイド部６１ａにガイドされて、バネ９を圧縮しながらハウジング本体６に対して前方に移動する。その後、端子収容室６０ａ内の端子Ｔにイニシエータ１のピン２１が接続されて、図３（ｃ）に示すように係止アーム３２が係止凸部６１ｂに係止されると、スライダ８がバネ９の付勢力で後方に移動し、移動規制片８２が係止アーム３２の上方に位置する。これにより、係止アーム３２が上方への移動を移動規制片８２で規制される。
【００２２】
次に、このような構成を有したコネクタで、端子収容部６１の端子収容室６０ａに端子Ｔを収容する作業を説明する。
【００２３】
端子Ｔは、端子収容室６０ａの前端開口部に挿入される。図４（ａ）に示すように、端子Ｔが端子収容室６０ａに挿入されると、端子係止アーム６１１の係止部６１１ａに端子Ｔの先端部が当接し、端子係止アーム６１１が端子Ｔに乗り上げて上方に撓む。上方に撓んだ端子係止アーム６１１は、図５に拡大して示すように、先端部の上面をスライダ８の下面の前縁部に当接するので、上方への移動が規制される。
【００２４】
端子Ｔを端子収容室６０ａに挿入する際、スライダ８は、バネ９の付勢力で後側のスライド限に移動している。このため、スライダ８の下面の前縁部に当接した端子係止アーム６１１の先端は、スライダ８の前方に位置する収容室６３内に進入している。
【００２５】
その後、図４（ｂ）に示すように、端子Ｔの先端が端子収容室６０ａの後端部まで移動して、端子Ｔが端子収容室６０ａ内に収容されると、端子Ｔの被係止部Ｔ１に係止部６１１ａが係止して、端子Ｔの後方への移動が規制される。これに伴い、端子係止アーム６１１の先端は、収容室６３から退出する。
【００２６】
本実施形態によれば、係止アーム３２の係止解除を規制するためのスライダ８に端子係止アーム６１１を当接させて、端子係止アーム６１１の変位を規制することで、端子係止アーム６１１の変位を規制するための部材やその部材の収納スペースを設けることなく、端子係止アーム６１１にクリープ変形が生じたり端子係止アーム６１１による係止が解けるのが防止され、端子収容室６０ａ内に端子Ｔを確実に係止することができる。従って、コネクタの大型化を招くことなく、端子係止アーム６１１を端子収容室６０ａ内に確実に係止できる。しかも、コネクタの小型化を図ることで、製造コストも低減することが可能となる。
【００２７】
なお、上記実施形態では、スライダ８の下面の前縁部を変位規制部とした場合について説明したが、変位規制部はスライダ８の前縁部には限定されない。例えば、バネ収容部８１等のスライダ８の下面に設けた突起等を変位規制部としてもよい。また、端子係止アーム６１１の形成位置も任意であり、端子収容部６１の左右の側面に形成されていてもよい。この場合、スライダ８のスライド部８１ｂを端子係止アーム６１１に当接させて、端子係止アーム６１１の変位を規制することができる。
【００２８】
また、スライダ８は、必ずしも端子係止アーム６１１の先端に当接させる必要はなく、
端子係止アーム６１１の基端側に当接させてもよい。例えば、図６に示すように、係止部６１１ａの形成位置よりも後側に位置した端子係止アーム６１１の上面にスライダ８を当接させてもよい。
【００２９】
図６に示す例では、スライダ８が備える移動規制片８２に移動規制部８２ａを設け、この移動規制部８２ａに端子係止アーム６１１の上面を当接させて、端子係止アーム６１１の上方への移動を規制するようになっている。図７に拡大して示すように、移動規制部８２ａは、移動規制片８２の下面から矩形の断面形状を有して下方に延びており、下端面の後縁部を端子係止アーム６１１の上面に当接させるよう構成されている。
【００３０】
この構成によっても、端子係止アーム６１１をスライダ８に当接させて、端子係止アーム６１１の変位を規制することで、端子係止アームの変位を規制するための部材やその部材の収納スペースを設けることなく、端子係止アーム６１１にクリープ変形が生じたり端子係止アーム６１１による係止が解けるのを防止でき、上記実施形態と同様の作用効果を得ることができる。
【００３１】
しかも、係止部６１１ａの形成位置よりも後側に位置した端子係止アーム６１１の上面にスライダ８を当接させることで、端子Ｔに乗り上げた端子係止アーム６１１の先端部とスライダ８とが干渉するのを避けながら、端子Ｔに係止した端子係止アーム６１１をスライダ８で端子Ｔに常時押し付けることができる。このため、端子Ｔを係止するのに必要な反力を端子係止アーム６１１のみで確保する必要がなくなり、端子係止アーム６１１の小型化を図ることもできる。
【００３２】
また、上記実施形態では、端子Ｔの上板を切り欠くことで被係止部Ｔ１が形成されている場合について説明したが、端子係止アーム６１１で端子Ｔを係止できるのであれば被係止部Ｔ１の構成は任意であり、上板に突起や凹部を設ける等して構成してもよい。また、ハウジング５をイニシエータ１に係止できるのであれば、係止アーム３２の構成も任意であり、例えば、本体２に備えられていてもよい。
【符号の説明】
【００３３】
１            イニシエータ
２            本体
２０          収容室
２１          ピン
２２          嵌合凹部
２３          係止凹部
３            シャント
３０          挿通孔
３１          嵌合凸部
３２          係止アーム
３３          係止片
４            短絡金具
４１          係止片
４２          接触片
５            ハウジング
６            ハウジング本体
６０ａ        端子収容室
６０ｂ        電線収容室
６１          端子収容部
６１１        端子係止アーム
６１１ａ      係止部
６１ａ        ガイド部
６１ｂ        係止凸部
６２          電線収容部
６２ａ        係止凸部
６３          収容室
７            カバー
７１          係止部
８            スライダ
８１          バネ収容部
８１ａ        バネ収容室
８１ｂ        スライド部
８２          移動規制片
８２ａ        移動規制部
９            バネ
Ｄ            電線
Ｔ            端子
Ｔ１          被係止部
Ｈ            フェライト
【図１】
0005646273.tif 000002
【図２】
0005646273.tif 000003
【図３】
0005646273.tif 000004
【図４】
0005646273.tif 000005
【図５】
0005646273.tif 000006
【図６】
0005646273.tif 000007
【図７】
0005646273.tif 000008